(57)【特許請求の範囲】
【請求項１】
第１位置から第２位置にドア（１）を動かす機構であって、この動きはスライド運動を含み、
前記機構は、ハウジング（２）と、引き出しガイドレール（４）と、第１レバーアーム（２７）と、第２レバーアーム（３０）と、を備え、
前記引き出しガイドレール（４）は、前記ドア（１）に取り付けられる第１部材を有し、前記第１部材（５）と第２部材（６）とは、互いに関しスライド可能に配置され、
前記第１レバーアーム（２７）の一端は、前記引き出しガイドレール（４）における旋回点（２９）に受けられ、前記第１レバーアーム（２７）の反対側の端は、前記機構のハウジング（２）における旋回点（２８）に受けられ、前記引き出しガイドレール（４）における旋回点（２９）は、前記引き出しガイドレール（４）の第１端に位置し、
前記第２レバーアーム（３０）の第１端は、前記引き出しガイドレール（４）の第３の旋回点（３１）に受けられ、前記第２レバーアーム（３０）の第２端は、ガイド手段（３８）の手段によりハウジングの溝（３２）に受けられ、第３レバーアーム（３３）の第１端は、前記第２レバーアーム（３０）の第４の旋回点（３４）に受けられ、前記第３レバーアーム（３３）の第２端は、ハウジングの第５の旋回点（３５）に受けられる、機構。
【請求項２】
前記引き出しガイドレール（４）における前記第３の旋回点（３１）は、前記引き出しガイドレール（４）の第１端とは反対側の、前記引き出しガイドレール（４）の第２端から隔てて位置している、請求項１に記載の機構。
【請求項３】
ハウジングの溝（３２）は、第１部分（３６）を有し、前記第１部分（３６）は、ハウジングの内側の位置から前方に、前記第３レバーアーム（３３）が位置する、ハウジングの端に向かって傾き、
ハウジングの溝（３２）は、第２部分（３７）を有し、前記第２部分（３７）は、エレメントに垂直である全体的な伸長を有し、溝（３２）の前記第２部分（３７）は、前記第３レバーアーム（３３）が位置する、ハウジングの端に向かってわずかに曲がった形状を有する、請求項１または２に記載の機構。
【請求項４】
前記引き出しガイドレール（４）に関するドアのスライド運動のロックとリリースとをそれぞれ行うため、ロックリリース機構が配置されている、請求項１〜３のいずれかに記載の機構。
【請求項５】
前記ロックリリース機構が、ドア用の機構のレバーアーム（１４，４６，５３，５８）の動きによって制御される、請求項４に記載の機構。
【請求項６】
前記ロックリリース機構は、２つのアームを有するレバーを備え、前記２つのアームを有するレバーは、前記引き出しガイドレール（４）の旋回点（２０）周りに旋回可能に配置され、
前記２つのアームを有するレバーの第１アーム（２１）は、レバーアーム（１４）により作用され、ばねの力に抗して旋回点（２０）で回り、第２アーム（２２）は、前記引き出しガイドレール（４）の部材上のピン（４５）から外される、請求項５に記載の機構。
【請求項７】
前記ロックリリース機構は、ロッキングアーム（４７）を備え、前記ロッキングアーム（４７）は、レバーアーム（４６）の端における旋回点（４８）に受けられ、
前記ロッキングアーム（４７）は、前記引き出しガイドレール（４）の部材をロックする部分を一端に有し、
前記ロッキングアーム（４７）は、前記レバーアーム（４６）のエッジ（４９）により、リリース位置に動かされ、前記レバーアーム（４６）のエッジ（４９）は、ばねの力に抗して作用し、前記ロッキングアーム（４７）を前記レバーアーム（４６）の端における旋回点（４７）で回す、請求項５に記載の機構。
【請求項８】
前記ロックリリース機構は、レバーアーム（５３）の端部（５５）を備え、前記端部（５５）は、前記レバーアーム（５３）に固定され、溝（５７）を有し、溝（５７）には、前記引き出しガイドレール（４）の部材のピン（５６）がロッキング位置において受けられ、溝（５７）は、前記レバーアーム（５３）が旋回点（５４）で回るときに、前記ピン（５６）をリリースするようになっている、請求項５に記載の機構。
【請求項９】
前記ロックリリース機構は、ロッキングピン（６１）を備え、前記ロッキングピン（６１）は、前記引き出しガイドレール（４）のガイド溝（６３）にスライドし、前記ロッキングピン（６１）は、ばねの力に抗してレバーアーム（５８）の端（６０）により作用され、ガイド溝（６３）は、前記引き出しガイドレールの２つの部材に位置し、
前記ロッキングピン（６１）は突出部（６２）を有し、前記突出部（６２）は、ガイド溝（６３）のリセスに受けられ、リセスは、前記引き出しガイドレール（４）の１つの部材に位置し、前記突出部（６２）は、旋回点（５９）で旋回する前記レバーアーム（５８）の手段によりリセスを出ていき、前記引き出しガイドレール（４）の２つの部材は、前記ロッキングピン（６１）の前記突出部（６２）がリセスを出たときに、互いに自由に動く、請求項５に記載の機構。
【発明の詳細な説明】
【技術分野】
【０００１】
本発明は概して、第１の配置から第２の配置にエレメントを動かす方法に関するものであり、この動きにはスライド運動が含まれる。本発明はまた、エレメントを動かす方法を行うための機構に関する。
【背景技術】
【０００２】
動かされるエレメントは、隣り合うエレメントの間または壁等のフレームにおける開口部から、その開口部からずれた位置まで動くあらゆる種類のエレメントであってもよく、動きの最後の部分において、エレメントが隣り合うエレメント等と平行な位置にスライドする。エレメントは、様々な種類の家具のドア、建物の一部、ルーフハッチのようなハッチ等であってもよい。
【０００３】
この種の運きにおける一つの問題は、スムーズな動く動作を得ることである。スライド運動が行われる前に、エレメントが隣り合うエレメントから自由に最初に動かされなければならないからである。
【０００４】
例えば家具、すなわちキャビネット、ロッカー等用のスライドドアは、設計オプション、必要な空間、家具のアイテムにアクセスする能力という点で、通常不利であることが暗示される。従って、例えばキャビネット用のスライドドアを開閉する改良された方法を提供することが望ましい。また、例えばスライドドアに望ましい動きを与える機構を提供することが望ましい。
【発明の概要】
【発明が解決しようとする課題】
【０００５】
本発明の目的は、少なくとも上記の問題を緩和することである。引き出しガイドレールとともに適切なリンク機構を提供することにより、例えばキャビネットのスライドドアが閉じられたときに平らな外観にすることができ、開いた状態に向かったり反対の閉じた状態に向かったりする滑らかな動きをもたらすことができる、という理解に本発明は基づいている。
【課題を解決するための手段】
【０００６】
本発明の一つの重要な部分は、スライド運動を含む滑らかな運動が、外側に向けられるように隣り合うエレメント間に置かれたエレメントの一端に最初に力を加えることによって行われる。その後エレメントの反対の端が外側に向けられ、エレメントは開いた位置と平行な位置にあることになる。到達する前の、前記平行な位置では、エレメントはスライド運動をすることができる。
【０００７】
下記の詳細な説明では、エレメントはスライドドアであるが、本発明が、上記に示されたように、多くの様々な種類のエレメントに用いられることは、当業者に理解されるだろう。スライドドアは通常ある種の木製製品から作られるが、本発明があらゆる物質のエレメントに利用されることは、当業者に理解されるだろう。
【０００８】
第１の側面では、開口の内部である第１の位置から、開口から離れ外部である第２の位置に、エレメントを動かす方法が提供される。動きにはスライド運動が含まれ、トータルな動きには多くの別々のステップが含まれる。第１ステップでは、エレメントの一端は第１の端位置まで外側に向けられる。第２ステップでは、エレメントがもとの位置と平行な位置になるまで、エレメントの他端は外側に向けられる。前記第２ステップの終わりでは、ロッキング手段はリリースされる。第３ステップでは、エレメントが受容される引き出しガイドレールを延ばすことにより、エレメントは第２の位置にスライドする。逆の順に動きの上記ステップが繰り返され、エレメントを第２の位置から開口の内部である第１の位置に動かす。
【０００９】
第２の側面によると、上記の運動を行うための機構が提供される。機構はハウジングを有している。機構は引き出しガイドレールも有し、引き出しガイドレールは、動かされるエレメントに取り付けられる第１部材を有している。第１部材と第２部材とは、互いにスライドできるように配置されている。機構は、さらに少なくとも２つのレバーアームを備えている。第１レバーアームの一端は、引き出しガイドレールでの旋回点に受けられ、前記レバーアームの反対側の端は、機構のハウジングでの旋回点に受けられる。引き出しガイドレールにおける旋回点は、引き出しガイドレールの第１の端に位置する。
【００１０】
動かされるエレメントには、通常１つの機構がエレメントの対向する２つの端にある。
【００１１】
引き出しガイドレールは第３部材を有してもよく、第３部材は、第１部材と第２部材との間に配置され、引き出しガイドレールがスライドできる範囲を増加させるようになっている。
【００１２】
機構はさらにロックリリース機構を備えてもよく、ロックリリース機構は、第１の位置にあるときに、引き出しガイドレールの第１部材と第２部材との間の相互の移動をロックするように配置され、第２の位置にあるときに、ロックをリリースするように配置される。
【００１３】
本発明の他の目的、特徴、利点は、下記の詳細な開示から、添付された従属クレームから、また図面からも明らかになるであろう。概ね、特許請求の範囲に記載される全ての用語は、ここに明確に定義されていない限り、技術分野における通常の意味で解されるべきである。冠詞（“ａ／ａｎ／ｔｈｅ”）が付されたエレメント、デバイス、コンポーネント、手段等についての言及の全ては、別に明確に述べられていない限り、前記エレメント、デバイス、コンポーネント、手段等の少なくとも一例を率直に指していると解されるべきである。  ここに開示されるあらゆる方法のステップは、明確に述べられていない限り、開示されている正確な順番通りに行われる必要はない。
【図面の簡単な説明】
【００１４】
本発明のさらなる目的、特徴、利点と同様に、上記については、付された図面を参照して、下記の本発明の異なる実施形態の、例示のための非限定的な詳細な説明を通じて、より良く理解されるであろう。
【図１】スライドドアの形態におけるエレメント用の機構の第１実施形態を示す。
【図２】別の視点からの図１の機構を示す。
【図３】ロックリリース機構の第１実施形態とともに、図１の機構の拡大図を示す。
【図４】別の位置にあるときの図１の機構を示す。
【図５】機構の第１実施形態の一連の開く動きを示し、ドアは閉じられている。
【図６】機構の第１実施形態の一連の開く動きを示す。
【図７】機構の第１実施形態の一連の開く動きを示す。
【図８】機構の第１実施形態の一連の開く動きを示す。
【図９】機構の第１実施形態の一連の開く動きを示す。
【図１０】機構の第１実施形態の一連の開く動きを示し、ドアは完全に開いている。
【図１１】一連の開く動きにおける、図３のロックリリース機構を示している。
【図１２】連の開く動きにおける、図３のロックリリース機構を示している。
【図１３】一連の開く動きにおける、図３のロックリリース機構を示している。
【図１４】一連の開く動きにおける、図３のロックリリース機構を示している。
【図１５】家具のフレームとドアにそれぞれ取り付けられた機構と、機構に取り付けられたカバープレートの斜視図を示す。
【図１６】スライドドア用の機構の第２実施形態の開く動きを示す。
【図１７】スライドドア用の機構の第２実施形態の開く動きを示す。
【図１８】スライドドア用の機構の第２実施形態の開く動きを示す。
【図１９】スライドドア用の機構の第２実施形態の開く動きを示す。
【図２０】スライドドア用の機構の第２実施形態の開く動きを示す。
【図２１】スライドドア用の機構の第３実施形態の開く動きを示す。
【図２２】スライドドア用の機構の第３実施形態の開く動きを示す。
【図２３】スライドドア用の機構の第３実施形態の開く動きを示す。
【図２４】スライドドア用の機構の第３実施形態の開く動きを示す。
【図２５】スライドドア用のロックリリース機構の第２実施形態を示す。
【図２６】ライドドア用のロックリリース機構の第２実施形態を示す。
【図２７】スライドドア用のロックリリース機構の第２実施形態を示す。
【図２８】スライドドア用のロックリリース機構の第２実施形態を示す。
【図２９】スライドドア用のロックリリース機構の第３実施形態を示す。
【図３０】スライドドア用のロックリリース機構の第３実施形態を示す。
【図３１】スライドドア用のロックリリース機構の第３実施形態を示す。
【図３２】スライドドア用のロックリリース機構の第４実施形態を示す。
【図３３】スライドドア用のロックリリース機構の第４実施形態を示す。
【図３４】スライドドア用のロックリリース機構の第４実施形態を示す。
【図３５】スライドドア用のロックリリース機構の第４実施形態を示す。
【発明を実施するための形態】
【００１５】
図１は、第１実施形態のスライドドア１用の機構を示している。機構は、ハウジング２を備え、ハウジング２は、ドア１を有する家具のフレーム３に取り付けられて配置されている。家具は例えばクローゼット、キャビネット、ロッカー、ドアの付いた本棚などであってもよい。フレーム３は、木、ポリマー、ボード材、金属などで作られてもよく、サイドピース、トップピース、ボトムピース、好ましくはさらにバックピースを備えている。ドア１とともに、フレーム３は、衣類、ギア、本などを保管するスペースを定めていると好ましい。機構のハウジング２がフレームのトップピースに取り付けられ、追加の同様な機構がボトムピースに取り付けられてもよく、ドアに安定した取り付けと運動パターンが提供されると好ましい。これは以下の説明から理解されるであろう。
【００１６】
機構は、さらに引き出しガイドレール４を備えている。引き出しガイドレール４は、引き出し機能を実行するため互いにスライドする、第１部材５と第２部材６とを備えている。このような引き出しガイドレールは、例えば欧州特許出願公開公報第２１１４２０６号に記載されるように、引き出しの技術分野において公知である。この欧州特許出願にも示されるように、引き出しガイドレールは第３部材７を有することができ、第３部材は、引き出しガイドレール４がスライドできる範囲を増大させるよう、第１部材５と第２部材６との間でスライドできるように配置されている。引き出しガイドレール４は、いわゆる完全拡張タイプであり、家具内のアイテムへのアクセスのため、ドアが完全に開くようになっている。さらに、この欧州特許出願にも記載されているように、部材間の摩擦の減少のためのボールやローラによって、スライドを強化することができる。引き出しガイドレールには、その端点においてスライド運動を弱めるためのダンピングエレメントを設けることもできる。
【００１７】
以下に記載されるように、引き出しガイドレール４の第１部材５はドア１に取り付けられ、第２部材６は機構のレバーアームに取り付けられる。
【００１８】
引き出しガイドレール４は、ドアが閉じられたときに、ガイドレールがドアの背後に隠れることができ、言い換えればユーザーに対し隠すことができるという利点を与える。これにより、改良された設計オプションが可能になる。
【００１９】
以下の説明では、レバーアームと旋回点に、それぞれ、第１、第２等の識別が与えられ、レバーアームと旋回点が、それぞれ、互いに区別できるようになっている。この識別は、タイミングや重要性の差を定めるものと解されるべきではない。
【００２０】
機構はさらに第１レバーアーム８を備え、第１レバーアームは、ハウジング２の第１の旋回点９と、引き出しガイドレール４の第２部材６の第２の旋回点１０との間に、旋回可能に配置されている。機構はさらに第２レバーアーム１１を備え、第２レバーアーム１１は、ハウジングの第３の旋回点１２と、第３レバーアーム１４の第４の旋回点１３との間に、旋回可能に配置され、第３レバーアーム１４は、引き出しガイドレール４の第２部材６の第５の旋回点１５に旋回可能に配置されている。機構はさらに第４レバーアーム１６を備え、第４レバーアーム１６は、第１レバーアーム８の第６の旋回点１７と、第３レバーアーム１４の第７の旋回点１８との間に、旋回可能に配置されている。ハウジング２、レバーアーム８、１１、１４、１６、および第２部材６の配置は一種の半平行四辺形を形成することが見て取れ、平行な性質は、図１〜３に示されるような第１の位置と、図４に示されるような第２の位置とにのみ当てはまり、一方その間で、第２部材６は、以下で図５〜８を参照して記載されるように、非平行に移動する。
【００２１】
ドアが閉じられている、第１の位置または配置では、第２レバーアーム１１の大体の方向は、引き出しガイドレール４の大体の方向とほぼ平行である。第２レバーアーム１１の大体の方向の、引き出しガイドレール４の大体の方向に対し“ほぼ平行な方向”とは、引き出しガイドレール４の大体の方向に対し５度〜１５度の間の角度であり、ここで正の角度は、第３の旋回点１２が、第４の旋回点１３より、引き出しガイドレール４に近いことを意味する。角度が０度〜１０度の間であると好ましく、約５度であるとより好ましい。ほぼ平行な方向は、例えばスライドドアと同じ平面に取り付けられる隣接するドアなどのすぐ近くにあるアイテムに干渉することなく、ドアのエッジが出て行けるといった利点をもたらし、これにより改良された設計オプションが可能になる。ここで、第３レバーアーム１４は、引き出しガイドレール４に本質的に垂直であり、下記により詳細に示されるように、動くことでドアを近くのアイテムから、第２の位置または配置に向けて押し出す。角度により、ドアの臨界端、すなわち第１から第２の位置に動くときに最初に移動する端、が隣接するドアやアイテムに干渉することなく外側を向くようになる。これは、第１の位置から第２の位置へ向かう動きの初めの部分の間、引き出しガイドレールの大体の方向に本質的に垂直に動く、第４の旋回点１３によりもたらされる。
【００２２】
第２の位置では、引き出しガイドレール４は、第３の旋回点１２周りに第２レバーアーム１１を回転させることにより、第１の位置にあるときに照らし平行に移動する。第１、第３、第４レバーアーム８、１４、１６は、引き出しガイドレール４が第１の位置にあるときに照らし本質的に平行に移動するようにし、引き出しガイドレール４を延ばすことにより、ドア１が開位置にスライドできる。  平行な移動により、スライドドアと同じ平面に取り付けられる、例えば隣接するドアなどのすぐ近くにあるアイテムに干渉することなく、ドア１は、引き出しガイドレールにより開かれることができる位置に置かれ、これにより改良された設計オプションが可能になる。
【００２３】
旋回軸の配置により、機構は第１と第２の位置との間でまっすぐ動くことができ、言い換えれば、ドアは、他の２つの方向に望ましいパターンに応じて動くものの、動く間に同じ高さが保たれる。これを可能にするため、第１〜第７の旋回点９、１０、１２、１３、１５、１７、１８の全ての旋回の軸は、相互に本質的に平行であり、引き出しガイドレール４の大体の方向に垂直であり、第１の位置と第２の位置との間の平行な移動の方向に垂直である。
【００２４】
機構がその第２の位置にあるときにのみ、スライド運動が望まれる。従って、機構はさらにロックリリース機構１９を備えることができ、ロックリリース機構１９は、第１の位置にあるときに、引き出しガイドレール４の第１部材５と第２部材６との間の相互移動をロックするよう配置され、第２の位置にあるときに、ロックをリリースするように配置される。ロックリリース機構は、スライドオープンの動きがなされるまで、ドアを所定位置に保持する。扱いやすさとより一層の品質感に加え、この特徴により、閉じられたドアと同じ平面に取り付けられた隣接するドアや他のアイテムが、開かれるドアがスライドすることによる摩耗やダメージにさらされることが防がれる。図３に拡大して示されてもある、ロックリリース機構１９は、２つのアームを有するレバーを備えることができ、２つのアームを有するレバーは、引き出しガイドレール４の第２部材６の第８の旋回点２０周りに、旋回可能に配置される。ばねは、レバーに作用し、レバーを図３に示される位置に向かわせる。２つのアームを有するレバーの第１アーム２１は、第２の位置にあるときに、第３レバーアーム１４と接するように配置され、２つのアームを有するレバーの第２アーム２２は、第２アーム２２が引き出しガイドレール４上のピン４５から外されることにより、２つのアームを有するレバーが第８旋回点２０周りを回ってロックを外す。ロックリリース機構のこの構成は、複雑でなくかつ自動的に動く機構を兼ね備える。
【００２５】
機構は、第３レバーアーム１４上で、第３レバーアーム１４の大体の方向で考えて第５の旋回点１５と第７の旋回点１８との間に、第４の旋回点１３が配置されるように構成可能である。さらに、構成は、第１レバーアーム８上で、第１レバーアーム８の大体の方向で考えて第１の旋回点９と第２の旋回点１０との間に、第６の旋回点１７が配置されるようにすることができる。旋回点の構成は、第１から第２の位置までおよびその逆の、ドアと引き出しガイドレールの特に適切な動きを提供する。
【００２６】
レバーアーム上の負荷は、ドアの重量に応じて、そして特に第２の位置と引き出しガイドレールが延びた位置にあるときに、大きくなることがある。もし全体の負荷がハウジングにおいて旋回点にかかるならば、このピボット用の寸法は、重いドアの場合には大きくなければならない。ドアの様々なサイズや材質用の多用途の機構という観点からは、機構はその用途の多くに経済的に実行可能ではないだろう。これを解決するためのアプローチが、ピボットから隔ててサポートを設けることにより発見された。ハウジング２は、例えばアーク形状のスロットを備えることができ、アーク形状のスロットは旋回点に対し一定の半径を有するアークを形成し、レバーアームはガイドノブを備えることができ、ガイドノブは、ハウジング２からレバーアームを行き来する向かうのと離れるのとの両方の力をとることができ、アーク形状のスロットと係合するように配置されている。ピボットのより経済的な寸法を可能にすることに加えて、この解決策は、旋回点の旋回軸に平行な方向における動きを制限することができる。このような配置は、第１レバーアームか第２レバーアームのいずれかに、または両方に、設けることができる。上記のドアがスライドして開くときの考察を参照し、第２レバーアーム上でのノブアプローチの適用は、機構が家具のフレームのトップピース上に設けられたときに、特に有利であり、第１レバーアーム上でのノブアプローチの適用は、機構が家具のフレームのボトムピース上に設けられたときに、特に有利である。
【００２７】
従って、それぞれ第１および第２位置に関する図２および図４に見られるように、ハウジング２は、さらに第１アーク形状スロット２３を備えることができ、第１アーク形状スロット２３は、第１旋回点９に対し一定の半径を有するアークを形成し、第１レバーアーム８は第１ガイドノブ２４を備え、第１ガイドノブ２４は、第１アーク形状スロット２３と係合するように配置され、第１旋回点９の旋回軸に平行な方向の移動を制限し、および／またはハウジング２は、さらに第２アーク形状スロット２５を備え、第２アーク形状スロット２５は、第３旋回点１２に対し一定の半径を有するアークを形成し、第２レバーアーム１１は第２ガイドノブ２６を備え、第２ガイドノブ２６は、第２アーク形状スロット２５と係合するように配置され、第３旋回点１２の旋回軸に平行な方向の移動を制限する。  スロットおよびノブは、構成を強化し、移動の間にドアからの負荷が変化するにつれて、ドアに不測の高度変化やねじりが生じないようにする。
【００２８】
スロットアプローチの代替は、アーク形状のスロットと同様の形状であるサポート面を有すること、すなわちピボットから隔ててサポートを提供することである。  サポート面は、従ってこの面とレバーアームとの間の力をとることのみができる。  しかしながら、もし、機構が家具のフレームのトップピースおよびボトムピースの両方に設けられ、サポート面が第１および第２のレバーアーム８、１１の両方に設けられていると、この解決策は、ノブアプローチと同様の利点をもたらす。
【００２９】
図５〜１０は、開く動きを順に示し、図５ではドアは閉じられ、図１０では完全に開いている。閉じる動きが、逆、すなわち図１０〜５の順に続く。図１１〜１４は、オープニングシークエンスのオプションのロックリリース機構１９を順に示し、図１４は、ロックリリース機構１９が、図１０に示されるようなドアが開いた状態にスライドできる、リリース位置にあるときを示している。開く動きにおいて示されたように、第３レバーアーム１４は、２つのアームを有するレバーの第１アーム２１と接触し、そのアーム２１を下方に押す。第１レバーアーム２１の動きにより、２つのアームを有するレバーは、２つのアームを有するレバーの第２アーム２２を持ち上げる第８の旋回点２０で、回転する。第２アーム２２がピン４５から外れたときに、ドア１はスライドして開くことができる。２つのアームを有するレバーは、ばねの手段により、第２アーム２２が引き出しガイドレール４の部材に接する位置に予め張力が与えられている。従って、ロックリリース機構をリリースするときに、第３レバーアーム１４の動きが、ばねの力に打ち勝たなければならない。
【００３０】
図１５は、それぞれカバープレートが取り付けられた、家具のフレームおよびドアに取り付けられた組立機構を示している。
【００３１】
以下では、スライドドアの機構のさらなる実施形態と、ロックリリース機構のさらなる実施形態とが、様々な実施形態を示す図面を参照して記載される。他の実施形態の部品に対応する部品には、同じ参照番号が与えられ、通常は実施形態ごとに詳細に言及されない。
【００３２】
上述したように、スライドドアのようなエレメントの一端に取り付けられた１つの機構があることが望ましく、エレメントに安定した取り付けと下記の動きのパターンを提供するように、追加の同様な機構がエレメントの反対側の端に取り付けられてもよい。
【００３３】
図１６〜２０の実施形態では、機構は第１レバーアーム２７を備え、第１レバーアーム２７は、ハウジング２の第１の旋回点２８と、引き出しガイドレール４の第２部材６の第２の旋回点２９との間に、旋回可能に配置されている。機構は、さらに第２レバーアーム３０を備え、第２レバーアーム３０は、その一端が引き出しガイドレール４の第２部材６の第３の旋回点３１に位置し、旋回可能に配置されている。第２レバーアーム３０の他端は、ハウジング２の溝３２に沿って移動できるように配置される。第３レバーアーム３３は、第２レバーアーム３０上の第４の旋回点３４と、ハウジング２の第５の旋回点３５との間に、旋回可能に配置されている。引き出しガイドレール４の第２部材６と第１レバーアーム２７の第２の旋回点２９は、前記第２部材６の一端に位置している。引き出しガイドレール２の第２部材６と第２レバーアーム３０の第３の旋回点３１は、前記第２部材６の他端から少し離れて位置している。第２レバーアーム３０の一端を受けるハウジング２の溝３２は、第１部分３６を有し、第１部分３６は、ハウジング２の内側の位置から前方に、第３レバーアーム３３が位置する、ハウジング２の端に向かって、傾いている。ハウジング２の前記端は、そこでスライドドア１の一端に最初の外側に向かう動きが与えられる、端である。溝３２の第１傾斜部分３６には、スライドドアに垂直な大体の伸長を有する第２部分３７が続く。溝３２の前記第２部分３７は、やや曲がった形状を有し、溝３２の端は、第１部分３６から第２部分３７を通る溝３２の領域よりも、第３レバーアーム３３が位置している、ハウジング２の端に近づいて位置している。第２レバーアーム３０は、ガイドホイール３８の手段により、溝３２に沿って移動可能である。第２レバーアーム３０は、曲がった形状を有し、第５の旋回点３５は、第２レバーアーム３０の湾曲の内側に位置している。
【００３４】
この実施形態のスライドドア１の開口部では、スライドドア１の一端が外に向かって引っ張られ、第２レバーアーム３０のガイドホイール３８は、溝３２の第１部分３６に沿って進む。第３レバーアーム３３は、第２レバーアーム３０が溝３２に沿って進むにつれて、外側へ回転する。第２レバーアーム３０のガイドホイール３８が、第１部分３６から第２部分３７を通る溝３２の領域に到達すると、第１レバーアーム２７は、外側に向き始める。第１レバーアーム２７は、スライドドア１にほぼ垂直になるまで回転する。第１レバーアーム２７がスライドドア１に垂直な位置まで外側に向くと、第２レバーアーム３０のガイドホイール３８は、溝３２の第２部分３７の端に到達する。第３レバーアーム３３は、スライドドア１に垂直になるまで外側に向かう。第１レバーアーム２７と第３レバーアーム３３の両方がスライドドア１に垂直な位置では、スライドドア１は、スライドして開く。
【００３５】
図２１〜２４の実施形態では、機構は第１レバーアーム３９を備え、第１レバーアーム３９は、ハウジング２の第１の旋回点４０と、引き出しガイドレール４の第２部材６の第２の旋回点４１との間に、旋回可能に配置されている。機構はさらに、第２レバーアーム４２を備え、第２レバーアーム４２は、引き出しガイドレール４の第２部材６の第３の旋回点４３と、ハウジング２の第４の旋回点４４との間に、旋回可能に配置されている。引き出しガイドレール４の第２部材６と第１レバーアーム３９の第２の旋回点４１は、前記第２部材６の一端に位置している。引き出しガイドレール２の第２部材６と第２レバーアーム４２の第３の旋回点４３は、前記第２部材６の他端から隔てて位置している。第２レバーアーム４２は、曲がった形状を有し、第２レバーアーム４２の下方部分は、開位置では前方に向けられる。
【００３６】
１つのレバーアームと引き出しガイドとの間の旋回点が引き出しガイドの一端に位置し、１つのレバーアームの旋回点が引き出しガイドの他端から隔てて位置することは、全ての実施形態に共通である。
【００３７】
図２５〜２８では、ロックリリース機構のさらなる実施形態が示される。レバーアーム４６は、ロッキングアーム４７に作用し、スライド運動をするようスライドドア１をリリースする。ロッキングアーム４７は、レバーアーム４６の手段により、旋回点４８周りを回る。ロッキングアーム４７は、ロッキング位置に向かってばねで留められている。レバーアーム４６は、エッジ４９を有し、エッジ４９は、閉位置でロッキングアーム４７から離れて配置される。ロッキングアーム４７は、一端に戻り止め５０を有し、戻り止めは閉位置で引き出しガイドレール４の部材のエクステンション５１のエッジ５２に接する。レバーアーム４６のエッジ４９は、ロッキングアーム４７の端でロッキングアーム４７に作用し、この端は、戻り止め５０を有する端とは旋回点４８に関し反対側に位置する。従って、ロッキングアーム４７の戻り止め５０は、ロッキングアーム４７がレバーアーム４６の動きにより回転するとき、引き出しガイドレール４のエクステンション５１のエッジ５２から外される。ロッキングアーム４７の回転運動は、レバーアーム４６のエッジ４９により作動され、ロッキングアーム４７のばね荷重に対し作用する。戻り止め５０は、スライドドア用の開閉機構の開位置で、エッジ５２から外される。
【００３８】
図２９〜３１では、ロックリリース機構のさらなる実施形態が示される。レバーアーム５３は、引き出しガイドレール４の旋回点５４で受けられる。レバーアーム５３の端部５５は、溝５７を有し、溝５７は、引き出しガイドレール４の部材に置かれたピン５６を受ける。端部５５は、レバーアーム５３の結合部品またはレバーアーム５３に固定された別部品である。開く動きの間、レバーアーム５３は旋回点５４で回転し、端部５５も回転し、ピン５６と、レバーアーム５３の端部５５の溝５７との間の相対運動が起きるであろう。溝５７の形状は、スライドドア１用の開閉機構の開位置で、ピン５６が溝５７から離れるようになっている。従って、前記開位置において、スライドドア１がスライドして開くことができる。
【００３９】
図３２〜３５においても、ロックリリース機構のさらなる実施形態が示される。レバーアーム５８は、引き出しガイドレール４の旋回点５９で受けられる。レバーアーム５８の端部６０は、ロッキングピン６１の一端に作用する。ロッキングピン６１は、レバーアーム５８の作用を受ける、ロッキングピン６１の端と反対の端に、突出部６２を有している。ロッキングピン６１は、ばねの手段により、レバーアーム５８に向かって押される。ロッキングピン６１は、引き出しガイドレール４上でガイド溝６３内を動いてもよい。ロッキングピン６１は、レバーアーム５８が作用する端とは反対の端に、突出部６２を有している。閉位置では、ロッキングピン６１の突出部６２は、引き出しガイドレール４のガイド溝６３でリセス６４に受けられる。ロッキングピン６１の突出部６２がガイド溝６３のリセスに受けられるとき、引き出しガイドレール４の２つの部材は、互いに相対的に動くのを妨げられる。開く動きの間、レバーアーム５８は旋回点５９周りを回転する。レバーアーム５８の端部６０は、その後ロッキングピン６１に向かって動く。レバーアーム５８の端部６０がロッキングピン６１を押し始めるとき、ロッキングピン６１の突出部６２は、リセス６４から離れる方向に移動する。開位置では、突出部６２はリセスから離れており、引き出しガイドレール４の２つの部材は互いに相対的に移動し、スライドドア１は開位置にスライドする。
【００４０】
ロックリリース機構の異なる実施形態が、スライドドア用の開閉機構のあらゆる異なる実施形態とともに用いられる場合がある。
【００４１】
本発明は、主に数例の実施形態に関し上記で述べられた。しかしながら、当業者には容易に理解されるように、上記で開示された以外の他の実施形態も、付された特許請求の範囲により定められた本発明の範囲内で、同じように可能である。
【図１】
0005973468.tif 000002
【図２】
0005973468.tif 000003
【図３】
0005973468.tif 000004
【図４】
0005973468.tif 000005
【図５】
0005973468.tif 000006
【図６】
0005973468.tif 000007
【図７】
0005973468.tif 000008
【図８】
0005973468.tif 000009
【図９】
0005973468.tif 000010
【図１０】
0005973468.tif 000011
【図１１】
0005973468.tif 000012
【図１２】
0005973468.tif 000013
【図１３】
0005973468.tif 000014
【図１４】
0005973468.tif 000015
【図１５】
0005973468.tif 000016
【図１６】
0005973468.tif 000017
【図１７】
0005973468.tif 000018
【図１８】
0005973468.tif 000019
【図１９】
0005973468.tif 000020
【図２０】
0005973468.tif 000021
【図２１】
0005973468.tif 000022
【図２２】
0005973468.tif 000023
【図２３】
0005973468.tif 000024
【図２４】
0005973468.tif 000025
【図２５】
0005973468.tif 000026
【図２６】
0005973468.tif 000027
【図２７】
0005973468.tif 000028
【図２８】
0005973468.tif 000029
【図２９】
0005973468.tif 000030
【図３０】
0005973468.tif 000031
【図３１】
0005973468.tif 000032
【図３２】
0005973468.tif 000033
【図３３】
0005973468.tif 000034
【図３４】
0005973468.tif 000035
【図３５】
0005973468.tif 000036